(57)【要約】【課題】画像データを違和感なく表示し、かつ、画像データに含まれる文字が途切れることなく表示することができる表示制御装置を提供する。【解決手段】画像分析部１２は、マルチディスプレイに表示させる全体画像に文字データが含まれるか否かを判定する。制御部１６は、全体画像に文字データが含まれる場合には、全体画像から単位ディスプレイＤ１−１〜Ｄ３−３の画面枠に相当する部分を除くことなく、通常表示モードで表示させるよう制御する。制御部１６は、全体画像に文字データが含まれない場合には、全体画像から画面枠に相当する部分を除き、単位ディスプレイＤ１−１〜Ｄ３−３の表示領域に表示すべき領域の画像部分を抽出して表示するシームレス表示モードで表示させるよう制御する。【選択図】図１
2012190016.tif 000002
【特許請求の範囲】
【請求項１】
複数の単位ディスプレイを水平方向と垂直方向との少なくとも一方に並べて配置したマルチディスプレイに画像データを表示させる表示制御装置であり、
前記画像データによって前記マルチディスプレイに表示させる全体画像に文字データが含まれるか否かを判定する文字データ判定部と、
前記全体画像を前記マルチディスプレイに表示させる際に、前記全体画像から水平方向または垂直方向に隣り合う前記単位ディスプレイの画面枠に相当する部分を除くことなく、前記全体画像を前記マルチディスプレイに含まれる前記単位ディスプレイの数で分割して、前記単位ディスプレイそれぞれの表示領域に表示させる通常表示モードと、前記全体画像から前記画面枠に相当する部分を除き、前記単位ディスプレイそれぞれの表示領域に表示すべき領域の画像部分を抽出して、前記単位ディスプレイそれぞれの表示領域に表示させるシームレス表示モードとのいずれかで前記全体画像を各単位ディスプレイに表示させるよう制御する表示制御部と、
前記文字データ判定部によって前記全体画像に文字データが含まれると判定された場合には、前記表示制御部による制御に基づいて、前記全体画像から前記通常表示モードに対応した領域の画像データを抽出して、前記単位ディスプレイそれぞれに出力し、前記文字データ判定部によって前記全体画像に文字データが含まれないと判定された場合には、前記表示制御部による制御に基づいて、前記全体画像から前記シームレス表示モードに対応した領域の画像データを抽出して、前記単位ディスプレイそれぞれに出力するスケーリング部と、
を備えることを特徴とする表示制御装置。
【請求項２】
前記文字データ判定部は、前記全体画像に文字データが含まれると判定した際に、文字データが含まれる存在領域を判定する文字領域判定部をさらに有し、
前記表示制御部は、前記文字領域判定部にて判定された存在領域が前記画面枠と重複する場合にのみ前記通常表示モードで前記全体画像を表示させるよう制御し、それ以外の場合は前記シームレス表示モードで前記全体画像を表示させるよう制御することを特徴とする請求項１記載の表示制御装置。
【請求項３】
前記表示制御装置は、前記複数の単位ディスプレイそれぞれと１対１で個別に接続されていることを特徴とする請求項１または２に記載の表示制御装置。
【請求項４】
複数の単位ディスプレイを水平方向と垂直方向との少なくとも一方に並べて配置したマルチディスプレイに画像データを表示させる表示制御方法であり、
前記画像データによって前記マルチディスプレイに表示させる全体画像に文字データが含まれるか否かを判定し、
前記全体画像に文字データが含まれると判定された場合には、前記全体画像から水平方向または垂直方向に隣り合う前記単位ディスプレイの画面枠に相当する部分を除くことなく、前記全体画像を前記マルチディスプレイに含まれる前記単位ディスプレイの数で分割して、前記単位ディスプレイそれぞれの表示領域に表示させる通常表示モードで前記単位ディスプレイそれぞれに表示し、
前記全体画像に文字データが含まれないと判定された場合には、前記全体画像から前記画面枠に相当する部分を除き、前記単位ディスプレイそれぞれの表示領域に表示すべき領域の画像部分を抽出して、前記単位ディスプレイそれぞれの表示領域に表示させるシームレス表示モードで前記単位ディスプレイそれぞれに表示する
ことを特徴とする表示制御方法。
【請求項５】
前記全体画像に文字データが含まれると判定した際に、文字データが含まれる存在領域を判定し、
前記存在領域が前記画面枠と重複する場合には、前記通常表示モードで前記全体画像を表示し、
前記存在領域が前記画面枠と重複しない場合には、前記シームレス表示モードで前記全体画像を表示する
ことを特徴とする請求項４記載の表示制御方法。
【発明の詳細な説明】
【技術分野】
【０００１】
本発明は、複数の単位ディスプレイを例えばマトリクス状に配置したマルチディスプレイに画像を表示させる表示制御装置及び表示制御方法に関する。
【背景技術】
【０００２】
例えば、ショッピングセンターや屋外等に設置される大型の表示装置は、一つのディスプレイ（以下、マルチディスプレイと区別するために「単位ディスプレイ」という）で全体画像を表示することが困難であるので、複数の単位ディスプレイ（例えば、３×３の９個の単位ディスプレイ）をマトリクス状に配置してマルチディスプレイとし、表示対象とされる画像を各単位ディスプレイに分割して表示し、全体として大型の画像を表示するようにしている（特許文献１参照）。例えば、図５（ａ）に示す画像Ｆ１を、９個の単位ディスプレイＤ１−１〜Ｄ３−３からなるマルチディスプレイに表示する場合には、図５（ｂ）に示すように画像全体を９等分して、各単位ディスプレイＤ１−１〜Ｄ３−３にそれぞれ分割した領域の画像を表示する。
【０００３】
しかし、実際には複数の単位ディスプレイを並べて配置する場合には、図６に示すように、各単位ディスプレイの周囲に画面枠５１が存在するので、全体画像を９等分した領域の画像をそれぞれに対応する単位ディスプレイに表示すると、各単位ディスプレイどうしの境界において画像が連続しない部分が発生する。例えば、図６に示すように、斜め方向に長く伸びる画像において符号ｐ１に示す点は、符号ｐ２に示す点に連続的に繋がるべき画像であるが、画面枠５１が存在することにより、連続性がなく段差のある画像となって表示されてしまう。
【０００４】
そこで、この問題を解決するために、単位ディスプレイの周囲に存在する画面枠５１の幅を考慮して、各単位ディスプレイに表示する画像領域を計算し、違和感のない画像を表示する方式（シームレス方式）が提案されている。シームレス方式では、図７に示すように、画面枠５１の幅を考慮して各ディスプレイＤ１−１〜Ｄ３−３に画像を表示するので、例えば、符号ｐ１に示す点とｐ２に示す点は連続性のある画像として表示され、違和感のない画像を表示することが可能となる。
【０００５】
ところが、図７に示す表示方式では、画面枠５１に対応する領域は画像が表示されないことになる。従って、表示する画像中に、図７の符号ｐ３に示すように「詳細は、０１２０−１２３−４５６７まで」という文字が存在する場合には、この文字が画面枠５１の部分で途切れてしまい、文字全体を読み取ることができなくなる。
【先行技術文献】
【特許文献】
【０００６】
【特許文献１】特開２００１−９２４３１号公報
【発明の概要】
【発明が解決しようとする課題】
【０００７】
上述したように、複数の単位ディスプレイを例えばマトリクス状に配置してマルチディスプレイとし、このマルチディスプレイに大画像を表示する場合には、各単位ディスプレイの周囲に画面枠５１が存在することにより、図６に示したように、各単位ディスプレイＤ１−１〜Ｄ３−３に分割した場合には、斜めに繋がる画像に連続性がなくなるという問題があった。また、図７に示すようにシームレス方式を用いた場合には、画像中に存在するＵＲＬや電話番号等の文字が途切れてしまうという問題があった。
【０００８】
本発明は、このような従来の問題を解決するためになされたものであり、その目的とするところは、画像データを違和感なく表示し、かつ、画像データに含まれる文字が途切れることなく表示することができる表示制御装置及び表示制御方法を提供することにある。
【課題を解決するための手段】
【０００９】
本発明は、上述した従来の技術の課題を解決するため、複数の単位ディスプレイ（Ｄ１−１〜Ｄ３−３）を水平方向と垂直方向との少なくとも一方に並べて配置したマルチディスプレイに画像データを表示させる表示制御装置（１００）であり、前記画像データによって前記マルチディスプレイに表示させる全体画像に文字データが含まれるか否かを判定する文字データ判定部（１２）と、前記全体画像を前記マルチディスプレイに表示させる際に、前記全体画像から水平方向または垂直方向に隣り合う前記単位ディスプレイの画面枠に相当する部分を除くことなく、前記全体画像を前記マルチディスプレイに含まれる前記単位ディスプレイの数で分割して、前記単位ディスプレイそれぞれの表示領域に表示させる通常表示モードと、前記全体画像から前記画面枠に相当する部分を除き、前記単位ディスプレイそれぞれの表示領域に表示すべき領域の画像部分を抽出して、前記単位ディスプレイそれぞれの表示領域に表示させるシームレス表示モードとのいずれかで前記全体画像を各単位ディスプレイに表示させるよう制御する表示制御部（１６）と、前記文字データ判定部によって前記全体画像に文字データが含まれると判定された場合には、前記表示制御部による制御に基づいて、前記全体画像から前記通常表示モードに対応した領域の画像データを抽出して、前記単位ディスプレイそれぞれに出力し、前記文字データ判定部によって前記全体画像に文字データが含まれないと判定された場合には、前記表示制御部による制御に基づいて、前記全体画像から前記シームレス表示モードに対応した領域の画像データを抽出して、前記単位ディスプレイそれぞれに出力するスケーリング部（１３）とを備えることを特徴とする表示制御装置を提供する。
【００１０】
上記の表示制御装置において、前記文字データ判定部は、前記全体画像に文字データが含まれると判定した際に、文字データが含まれる存在領域を判定する文字領域判定部をさらに有し、前記表示制御部は、前記文字領域判定部にて判定された存在領域が前記画面枠と重複する場合にのみ前記通常表示モードで前記全体画像を表示させるよう制御し、それ以外の場合は前記シームレス表示モードで前記全体画像を表示させるよう制御することが好ましい。
【００１１】
上記の表示制御装置において、前記表示制御装置は、前記複数の単位ディスプレイそれぞれと１対１で個別に接続されていてもよい。
【００１２】
また、本発明は、上述した従来の技術の課題を解決するため、複数の単位ディスプレイ（Ｄ１−１〜Ｄ３−３）を水平方向と垂直方向との少なくとも一方に並べて配置したマルチディスプレイに画像データを表示させる表示制御方法であり、前記画像データによって前記マルチディスプレイに表示させる全体画像に文字データが含まれるか否かを判定し、前記全体画像に文字データが含まれると判定された場合には、前記全体画像から水平方向または垂直方向に隣り合う前記単位ディスプレイの画面枠に相当する部分を除くことなく、前記全体画像を前記マルチディスプレイに含まれる前記単位ディスプレイの数で分割して、前記単位ディスプレイそれぞれの表示領域に表示させる通常表示モードで前記単位ディスプレイそれぞれに表示し、前記全体画像に文字データが含まれないと判定された場合には、前記全体画像から前記画面枠に相当する部分を除き、前記単位ディスプレイそれぞれの表示領域に表示すべき領域の画像部分を抽出して、前記単位ディスプレイそれぞれの表示領域に表示させるシームレス表示モードで前記単位ディスプレイそれぞれに表示することを特徴とする表示制御方法を提供する。
【００１３】
上記の表示制御方法において、前記全体画像に文字データが含まれると判定した際に、文字データが含まれる存在領域を判定し、前記存在領域が前記画面枠と重複する場合には、前記通常表示モードで前記全体画像を表示し、前記存在領域が前記画面枠と重複しない場合には、前記シームレス表示モードで前記全体画像を表示することが好ましい。
【発明の効果】
【００１４】
本発明の表示制御装置及び表示制御方法によれば、文字データが存在する場合には、文字データが途切れることなく表示されるので、視認する人は確実に文字データを認識することができる。また、文字データが存在しない場合には、画像に段差が生じることなく連続的に表示されるので、違和感のない表示が可能となる。
【図面の簡単な説明】
【００１５】
【図１】本発明の表示制御装置の一実施形態を示すブロック図である。
【図２】一実施形態における画像表示の手順を示すフローチャートである。
【図３】一実施形態における通常表示モードによる画像分割を示す説明図である。
【図４】一実施形態におけるシームレス表示モードによる画像分割を示す説明図である。
【図５】表示対象となる全体画像を９個の単位ディスプレイに分割して表示する様子を示す説明図である。
【図６】一実施形態によって全体画像を通常表示モードで表示したときの全体画像を示す説明図である。
【図７】一実施形態によって全体画像をシームレス表示モードで表示したときの全体画像を示す説明図である。
【図８】一実施形態の変形例を示すブロック図である。
【発明を実施するための形態】
【００１６】
以下、本発明の実施形態を図面に基づいて説明する。図１は、本発明の一実施形態に係る表示制御装置の構成を示すブロック図である。図示のように、この表示制御装置１００は、画像データ入力部１１と、画像分析部１２と、マルチディスプレイ設定部１５と、制御部１６と、スケーリング部１３とを備えている。そして、３行、３列の、合計９個のディスプレイＤ１−１〜Ｄ３−３にそれぞれ全体画像を分割した画像を表示することにより、全体画像があたかも一つのディスプレイに表示されているように表示する。即ち、９個のディスプレイＤ１−１〜Ｄ３−３によりマルチディスプレイが構成され、このマルチディスプレイに表示対象となる全体の画像が表示される。
【００１７】
なお、図１に示す表示制御装置１００は、ＣＰＵ、ＲＡＭ、ＲＯＭ、ハードディスク、専用ＬＳＩ等を有する一般的なコンピュータ装置等を用いて構成することができる。
【００１８】
画像データ入力部１１は、外部機器より送信される画像データ、即ち、表示対象となる画像データを受信し、受信した画像データを画像分析部１２に出力する。画像分析部１２は、受信した画像データを分析することにより、この画像データ中に文字データが含まれているか否かを判定する。また、文字データが含まれていると判定された場合には、この文字データの存在領域を求める処理を行う。即ち、画像分析部１２は、マルチディスプレイに表示する全体画像に文字データが含まれているか否かを判定する文字データ判定部としての機能を備え、さらに、画像データ中に存在する文字の領域を判定する文字領域判定部としての機能を備えている。
【００１９】
マルチディスプレイ設定部１５は、ユーザによる入力操作を受け付ける機能を備えている。即ち、マルチディスプレイ設定部１５は、操作子（図示省略）に接続されており、ユーザが操作子を操作することにより、ＯＳＤ（On Screen Display）メニュー画面等により、各種のデータを任意に設定、変更することが可能とされている。そして、ユーザ入力により、マルチディスプレイを構成する各単位ディスプレイの配列（本実施形態では３行、３列の合計９個）、及び各単位ディスプレイを配置する位置が設定される。また、固定値として、各単位ディスプレイの表示領域の幅、及び画面枠の幅が設定されている。
【００２０】
制御部１６は、表示制御装置１００全体を総括的に制御する。具体的には、画像分析部１２にて、表示対象となる画像データ中に文字データが存在すると判定された場合に、この文字データが存在する領域を取得し、この文字データの存在領域がマルチディスプレイ設定部１５で設定された画面枠と重複するか否かを判定する処理を実行する。
【００２１】
制御部１６は、文字データの存在領域と、画面枠とが重複する場合には通常表示モードを選択し、重複しない場合にはシームレス表示モードを選択する処理を行う。即ち、制御部１６は、全体画像を単位ディスプレイの縦方向、横方向の個数に分割し、分割した画像をそれぞれ対応する単位ディスプレイの表示領域５２に表示する通常表示モード、または、全体画像を単位ディスプレイの縦方向、横方向の個数に分割し、分割した画像の周囲から各単位ディスプレイの境界領域（画面枠５１）の画像を除去した画像を作成し、この除去した画像をそれぞれ対応する単位ディスプレイの表示領域５２に表示するシームレス表示モード、のいずれかにより、全体画像を各単位ディスプレイに表示する制御を行う表示制御部としての機能を備えている。
【００２２】
そして、通常表示モードが選択された場合には、図６に示したように、各単位ディスプレイＤ１−１〜Ｄ３−３の表示領域５２に、全体画像を９分割した画像をそれぞれ表示し、シームレス表示モードが選択された場合には、図７に示したように、各単位ディスプレイＤ１−１〜Ｄ３−３の表示領域５２に、全体画像を９分割し、さらに画面枠５１に対応する領域を除いた画像を表示する。画像設定の詳細については、後述する。
【００２３】
スケーリング部１３は、制御部１６からの指示に基づき、画像分析部１２より出力される全体の画像データから、所望する領域の画像データを抽出し、各単位ディスプレイＤ１−１〜Ｄ３−３に出力する処理を行う。
【００２４】
次に、通常表示モード、及びシームレス表示モードによる、各単位ディスプレイＤ１−１〜Ｄ３−３に表示する画像データの設定方法について説明する。
【００２５】
［通常表示モードの説明］
通常表示モードでは、全体の画像データを単位ディスプレイの個数で分割し、分割した画像データを各単位ディスプレイＤ１−１〜Ｄ３−３の表示領域５２にそれぞれ表示する。この際、各単位ディスプレイＤ１−１〜Ｄ３−３に表示する画像は、以下のように設定される。
【００２６】
マルチディスプレイが、横方向に３個（一般的にはＭｘ個）、縦方向に３個（一般的にはＭｙ個）の単位ディスプレイで構成される場合には、左上から横方向にＸ番目、縦方向にＹ番目の単位ディスプレイに表示すべき画像データの領域は、下記の（１）〜（４）式により計算される。
【００２７】
V_x1=[{Dx×(X-1)}/(Dx×Mx)]×Vx)  …（１）
V_y1=[{Dy×(Y-1)}/(Dy×My)]×Vy)  …（２）
V_x2={(Dx×X)/(Dx×Mx)}×Vx  …（３）
V_y2={(Dy×Y)/(Dy×My)}×Vy  …（４）
なお、（１）〜（４）式に用いる各記号は下記の通りである。
【００２８】
V_x1：表示すべき画像データの左上の横方向の位置
V_y1：表示すべき画像データの左上の縦方向の位置
V_y1：表示すべき画像データの右下の横方向の位置
V_y2：表示すべき画像データの右下の縦方向の位置
Dx：単位ディスプレイの表示領域の横方向の幅
Dy：単位ディスプレイの表示領域の縦方向の幅
Vx：全体の画像データの横方向の幅
Vy：全体の画像データの縦方向の幅
【００２９】
上記の（１）〜（４）式に基づいて、３行、３列の合計９個の単位ディスプレイに表示する画像データの範囲を求めると、図３（ａ）のように座標が決定され、全体画像を９等分した画像データａ〜ｉを求めることができる。図３（ｂ）に示すように、各画像データａ〜ｉを各単位ディスプレイＤ１−１〜Ｄ３−３の表示領域５２に表示することにより、通常表示モードでの画像表示を行うことができる。
【００３０】
［シームレス表示モードの説明］
シームレス表示モードでは、全体の画像データを単位ディスプレイの個数で分割し、分割した画像データから画面枠に重複する領域を除いた画像を、各単位ディスプレイＤ１−１〜Ｄ３−３の表示領域５２にそれぞれ表示する。この際、各単位ディスプレイＤ１−１〜Ｄ３−３に表示する画像は、以下のように設定される。
【００３１】
マルチディスプレイが、横方向に３個（一般的にはＭｘ個）、縦方向に３個（一般的にはＭｙ個）の単位ディスプレイで構成される場合には、左上から横方向にＸ番目、縦方向にＹ番目の単位ディスプレイに表示すべき画像データの領域は、下記の（５）〜（８）式により計算される。
【００３２】
V_x1=[Bx+{(Dx+2Bx)×(X-1)}]/{(Dx+2Bx)×Mx}×Vx  …（５）
V_y1=[By+{(Dy+2By)×(Y-1)}]/{(Dy+2By)×My}×Vy  …（６）
V_x2=[Bx+{(Dx+2Bx)×(X-1)}+Dx]/{(Dx+2Bx)×Mx}×Vx  …（７）
V_y2=[By+{(Dy+2By)×(Y-1)}+Dy]/{(Dy+2By)×My}×Vy  …（８）
なお、（５）〜（８）式に用いる各記号は下記の通りである。
【００３３】
V_x1：表示すべき画像データの左上の横方向の位置
V_y1：表示すべき画像データの左上の縦方向の位置
V_x2：表示すべき画像データの右下の横方向の位置
V_y2：表示すべき画像データの右下の縦方向の位置
Dx：単位ディスプレイの表示領域の横方向の幅
Dy：単位ディスプレイの表示領域の縦方向の幅
Bx：単位ディスプレイの画面枠の横方向の幅
By：単位ディスプレイの画面枠の縦方向の幅
【００３４】
上記の（５）〜（８）式に基づいて、３行、３列の合計９個の単位ディスプレイに表示する画像データの範囲を求めると、図４（ａ）のように座標が決定され、全体画像を９等分した画像データｊ〜ｒを求めることができる。図４（ｂ）に示すように、各画像データｊ〜ｒを各単位ディスプレイＤ１−１〜Ｄ３−３の表示領域５２に表示することにより、シームレス表示モードでの画像表示を行うことができる。
【００３５】
次に、上述のように構成された本実施形態に係る画像表示装置の処理手順を、図２に示すフローチャートを参照して説明する。
【００３６】
初めに、ステップＳ１１において、制御部１６は画像分析部１２による画像の分析処理により、表示対象となる画像データに文字データが存在していると判定されたか否かを認識する。
【００３７】
そして、文字データが存在しない場合には（ステップＳ１１でNO）、ステップＳ１４において、制御部１６は、シームレス表示モードを選択して画像データを各単位ディスプレイＤ１−１〜Ｄ３−３に表示する制御を行う。この処理では、図４に示したように、各単位ディスプレイＤ１−１〜Ｄ３−３の画面枠５１に重複する画像を表示しないことにより、全体的に画像が途切れることなく画像を表示することができる。
【００３８】
他方、文字データが存在する場合には（ステップＳ１１でYES）、ステップＳ１２において、制御部１６は、画像分析部１２による画像の分析処理により、画像データ中に含まれる文字データが画面枠５１と重複すると判定されたか否かを認識する。
【００３９】
そして、重複しない場合には（ステップＳ１２でNO）、上述したステップＳ１４の処理を実行する。また、重複する場合には（ステップＳ１２でYES）、ステップＳ１３において、制御部１６は、通常表示モードを選択して画像データを各単位ディスプレイＤ１−１〜Ｄ３−３に表示する制御を行う。この処理では、図３に示したように、各単位ディスプレイＤ１−１〜Ｄ３−３の表示領域５２に全体画像を分割した画像をそれぞれ表示することにより、画面枠５１と重複する文字データが確実に表示されるように表示することができる。
【００４０】
このようにして、本実施形態に係る表示制御装置では、全体の画像データを複数の単位ディスプレイＤ１−１〜Ｄ３−３に分割して表示する際に、表示対象となる画像データ中に文字データが存在し、かつ、この文字データが画面枠５１と重複する場合には、図６に示したように、通常表示モードを用いて各単位ディスプレイに分割画像を表示するので、文字データが途切れることがない。従って、画像データ中に含まれる文字データを全て表示することができるので、例えば、電話番号を表示する場合には、視認する人に対してこの電話番号を確実に知らせることができる。
【００４１】
また、表示対象となる画像データ中に文字データが存在しない場合には、図７に示したように、シームレス表示モードを用いて各単位ディスプレイに分割画像を表示するので、各単位ディスプレイの接続部分にて画像が滑らかに接続するように表示され、視認する人に対して違和感を覚えさせることのない画像を提供することができる。
【００４２】
また、上述した実施形態では、表示対象となる全体の画像中に文字データが存在し、かつ、この文字データの存在領域が画面枠５１と重複する場合に、通常表示モードで画像データを表示する例について説明したが、文字データの存在領域と画面枠５１とが重複するという条件を割愛してもよい。即ち、表示対象となる全体の画像データ中に文字データが存在する場合には全て通常モードで画像データを表示するようにしてもよい。このような構成とすることにより、制御部１６による演算負荷を軽減することができ、装置規模を小型化することができる。
【００４３】
図８は、本実施形態の変形例を示している。図１においては、マルチディスプレイの全体に対して１つの表示制御装置１００を接続して、スケーリング部１３がそれぞれの単位ディスプレイＤ１−１〜Ｄ３−３に抽出した画像データを供給するよう構成したが、図８に示すように、表示制御装置１００と単位ディスプレイＤ１−１〜Ｄ３−３とを１対１で設けてもよい。図８においては、図１に示すユーザによる入力操作を省略しているが、それぞれの表示制御装置１００には上述した各種のデータの設定がなされている。
【００４４】
以上、本発明の表示制御装置及び表示制御方法を図示の実施形態に基づいて説明したが、本発明はこれに限定されるものではなく、各部の構成は、同様の機能を有する任意の構成のものに置き換えることができる。マルチディスプレイは水平方向または垂直方向のみに配列させた状態であってもよく、配列の仕方及び単位ディスプレイＤの台数は任意である。複数の単位ディスプレイを水平方向と垂直方向との少なくとも一方に並べて配置してマルチディスプレイとすればよい。
【産業上の利用可能性】
【００４５】
本発明は、複数の単位ディスプレイをマトリクス状に配置して大型画面とし、大画像を表示することに利用することができる。
【符号の説明】
【００４６】
１１  画像データ入力部
１２  画像分析部（文字データ判定部）
１３  スケーリング部
１５  マルチディスプレイ設定部
１６  制御部（表示制御部）
５１  画面枠
５２  表示領域
１００  表示制御装置
Ｄ１−１〜Ｄ３−３  単位ディスプレイ
【図１】
2012190016.tif 000003
【図２】
2012190016.tif 000004
【図３】
2012190016.tif 000005
【図４】
2012190016.tif 000006
【図５】
2012190016.tif 000007
【図６】
2012190016.tif 000008
【図７】
2012190016.tif 000009
【図８】
2012190016.tif 000010